(57)【要約】      （修正有）【課題】簡単な構成で、基準面より下方側に所望のスペースを確保し、しかも、シャーシを水平状態に保持できるようにした電子機器および電子機器用のシャーシを提供する。【解決手段】電子機器を構成する各種要素４１〜４４と、要素４１〜４４の内の少なくとも一部が装着されるシャーシ３と、要素４１〜４４およびシャーシ３の少なくも一部を囲繞するケースと、を備えた電子機器において、シャーシ３は、水平状態の基準面３１と、当該基準面３１より下方側に所望のスペースを確保するために一体的に突出して形成された凹部３２と、基準面３１より下方側に一体的に突出した補助凸部３３と、を更に備え、補助凸部３３により、基準面３１が水平状態となるように形成する。【選択図】図３
2007317773.tif 000002
【特許請求の範囲】
【請求項１】
電子機器を構成する各種要素と、前記要素の内の少なくとも一部が装着されるシャーシと、前記要素および前記シャーシの少なくも一部を囲繞するケースと、を備えた電子機器において、
前記シャーシは、水平状態の基準面と、当該基準面より下方側に所望のスペースを確保するために一体的に突出して形成された凹部と、前記基準面より下方側に一体的に突出した補助凸部と、を更に備え、前記補助凸部と、前記凹部とにより、前記基準面が水平状態となるように、前記基準面から前記補助凸部の底面までの距離と、前記基準面から前記凹部の底面までの距離を、略同一に形成したことを特徴とする電子機器。
【請求項２】
電子機器を構成する各種要素と、前記要素の内の少なくとも一部が装着されるシャーシと、前記要素および前記シャーシの少なくも一部を囲繞するケースと、を備えた電子機器において、
前記シャーシは、水平状態の基準面と、当該基準面より下方側に所望のスペースを確保するために一体的に突出して形成された凹部と、前記基準面より下方側に一体的に突出した補助凸部と、を更に備え、前記補助凸部により、前記基準面が水平状態となるように形成したことを特徴とする電子機器。
【請求項３】
前記補助凸部と、前記凹部とにより、前記基準取付け面が水平状態となるように、前記基準面から前記補助凸部の底面までの距離と、前記基準面から前記凹部の底面までの距離を、略同一に形成したことを特徴とする請求項２に記載の電子機器。
【請求項４】
前記ケースは、当該ケースの底面に設置用脚部を更に備え、前記補助凸部は、前記設置用脚部または当該設置用脚部の近傍に設けたことを特徴とする請求項１乃至請求項３のいずれかに記載の電子機器。
【請求項５】
前記ケースは、前記シャーシの前部が嵌装されるフロントケース部と、前記シャーシの上部を覆うカバー部とからなり、前記フロントケース部の底面には、前記設置用脚部のフロント脚が設けられ、前記補助凸部は、前記フロント脚または当該フロント脚の近傍に配設するとともに、前記凹部は、前記ケースの底部を兼ね、前記凹部の底面に滑り止めを設けて設置用脚部のリア脚を形成したことを特徴とする請求項１乃至請求項３のいずれかに記載の電子機器。
【請求項６】
前記フロントケース部の前面側には、前記フロント脚の前面側を覆うスカート部を形成するとともに、前記フロント脚には、前記補助凸部が貫装される開口を設け、前記開口から前記補助凸部を外側に導出し、前記補助凸部の底面に滑り止めを設けてフロント脚を形成したことを特徴とする請求項５に記載の電子機器。
【請求項７】
前記補助凸部は、前記凹部と離間した隅部分に複数個配設したことを特徴とする請求項１乃至請求項６のいずれかに記載の電子機器。
【請求項８】
前記要素の一つが、当該電子機器を駆動する電源部の１次側部分を備えたプリント回路基板であって、当該プリント回路基板は、前記１次側部分が、前記凹部の上部に配設されるように、前記基準面に直接または当該基準面に設けられたボス部に装着されていることを特徴とする請求項１乃至請求項３のいずれかに記載の電子機器。
【請求項９】
前記要素の一つが、当該電子機器のデータを記憶するハードデスクであって、前記ハードデスクは、前記凹部に配設されていることを特徴とする請求項１乃至請求項３のいずれかに記載の電子機器。
【請求項１０】
電子機器を構成する要素を装着する水平状態の基準面と、当該基準面より下方側に一体的に突出する凹部と、を備えたシャーシにおいて、
前記基準面より下方側に向かって一体的に突出した補助凸部を設け、前記補助凸部により、前記基準面が水平状態となるように、形成したことを特徴とする電子機器用のシャーシ。
【請求項１１】
前記補助凸部と、前記凹部とにより、前記基準取付け面が水平状態となるように、前記基準面から前記補助凸部の底面までの距離と、前記基準面から前記凹部の底面までの距離を、略同一に形成したことを特徴とする請求項１０に記載の電子機器用のシャーシ。
【発明の詳細な説明】
【技術分野】
【０００１】
本発明は、例えば、ＤＶＤ装置、ビデオ装置、テレビジョン、プリンタなどの電子機器に関し、特に、この種電子機器を構成する各種要素の少なくとも一部が直接または間接的に装着されるシャーシに関するものである。
【背景技術】
【０００２】
従来から、この種電子機器にあっては、電子機器を構成する各種要素、例えば、電子部品、機械部品、プリント回路基板（以下単に、ＰＣＢと称す。）、その他付属部品などを、直接または間接的にシャーシに装着している。
【０００３】
従来、この種電子機器では、例えば、各種要素の一部を装着するシャーシとして、フラットに形成し、このシャーシを上部筐体で覆うようにしたものがある(例えば、特許文１参照）。
【特許文献１】実開平５−７７９７７号公報  ところで、この種電子機器において、例えば、シャーシに装着される要素の一つがＰＣＢで、このＰＣＢに当該電子機器を駆動する電源部が形成されてる場合、特に、この電源部のトランスや１次側回路パタンなどの１次側部分Ｐは、シャーシから一定の絶縁距離を確保する必要がある。また、この種電子機器の小型化を図る上で、シャーシ上に装着する要素を立体的に配置する必要がある。更には、電子機器によっては、他の各種理由から、内部にスペースを確保する必要があった。
【０００４】
しかし、前述の特許文献１記載の構成では、フラットなシャーシであることから、自ずと配置構成などに制限を受け、充分なスペースや絶縁距離を確保すると、勢いこの種電子機器が大型化し、また、各種要素を効率的に立体的に配置することができない。更に、内部に有効なスペースを確保すると、大型化を招来するなどといった問題があった。
【０００５】
この対策として、例えば、図１０および図１１に示すようなＤＶＤ装置において、シャーシ１０１に装着されたＰＣＢ１０２に、電子機器を駆動する電源部のトランス１０３が実装され、また、トランス１０３の近傍の裏面側に１次側回路パタン１０４などからなる１次側部分Ｐが形成されている場合、シャーシ１０１の１次側部分Ｐに対向する部分を、水平状態の基準面１０１ａより下方側に所望のスペース（この場合、絶縁距離Ｌ）を確保するために一体的に突出して凹部１０１ｂを形成することが考えられる。なお、図１０は、シャーシにＰＣＢなどを装着した状態を示す概略図、図１１は、図１０に示すシャーシの平面図である。また、図中１０５は、ＰＣＢ１０２を装着するため、シャーシ１０１に絞り加工などにより基準面１０１ａより上方側に突出して形成され、ネジ穴などが設けられたボス部である。１０６は、例えば、ＤＶＤユニットで、ＰＣＢ１０２に設けれた取付け具１０７にネジなどの固着手段（不図示）により固着されている。
【発明の開示】
【発明が解決しようとする課題】
【０００６】
上述した図１０および図１１に示すような構成では、通常、接地電位であるシャーシ１０１と、トランス１０３および１次側回路パタン１０４などからなる１次側部分Ｐとの間に、所望のスペース（この場合、絶縁距離Ｌ）を確保することができ都合が良い。ところが、シャーシ１０１に直接または間接的に精密部品である各種要素、例えば、シャーシ１０１にＰＣＢ１０２や、取付け具１０７にＤＶＤユニット１０６などを装着する場合、組み立てライン１１０は、一般的に、水平状態である。従って、図１０および図１１に示す構成では、シャーシ１０１は、凹部１０１ｂの存在により極めて不安定な状態で、図１０において、矢印Ｘで示すように左側に傾斜し、水平状態を保って組み立て作業を行うことができない。また、組立作業中に、シャーシ１０１などが歪むことがあり、シャーシ１０１の薄肉化を阻害することとなる。また、ラインパレットを用いる場合であっても、一般的に、ラインパレットのシャーシ１０１を載せる面は、平面である。従って、上述した不安定な状態を解決することはできない。更に、専用の治具を用いることも考えられるが、製品毎に準備する必要があり、製品のコストをアップすることとなる他、専用の治具を管理する必要がある。
【０００７】
本発明は、上述した問題を解決するためになされたものであり、簡単な構成で、基準面より下方側に所望のスペースを確保し、しかも、シャーシを水平状態に保持できるようにした電子機器および電子機器用のシャーシを提供することを目的とする。
【課題を解決するための手段】
【０００８】
かかる目的を達成するため、本発明では、電子機器を構成する各種要素と、要素の内の少なくとも一部が装着されるシャーシと、要素およびシャーシの少なくも一部を囲繞するケースと、を備えた電子機器において、シャーシは、水平状態の基準面と、当該基準面より下方側に所望のスペースを確保するために一体的に突出して形成された凹部と、基準面より下方側に一体的に突出した補助凸部と、を更に備え、補助凸部と、凹部とにより、基準面が水平状態となるように、基準面から補助凸部の底面までの距離と、基準面から凹部の底面までの距離を、略同一に形成する。
【０００９】
この構成によれば、シャーシの基準面より下方側に一体的に突出して凹部を形成して所望のスペースを確保するとともに、基準面より下方側に一体的に突出した補助凸部を設け、基準面から補助凸部の底面までの距離と、基準面から凹部の底面までの距離を、略同一形成している。この結果、シャーシに凹部を設けても、基準面は、凹部の底面と、補助凸部の底面により水平状態に維持されるので、極めて安定した状態で、シャーシが歪むことなく組立作業を行うことができ、作業効率が向上する他、シャーシの薄肉化を図ることができる。しかも、シャーシを水平状態に維持するために専用の治具などを用いる必要がないので、製品のコストを削減することができる。更に、各種要素を効率的に立体的に配置することができるので、この種電子機器の小型化を図ることができる。
【００１０】
また、本発明においては、電子機器を構成する各種要素と、要素の内の少なくとも一部が装着されるシャーシと、要素およびシャーシの少なくも一部を囲繞するケースと、を備えた電子機器において、シャーシは、水平状態の基準面と、当該基準面より下方側に所望のスペースを確保するために一体的に突出して形成された凹部と、基準面より下方側に一体的に突出した補助凸部と、を更に備え、補助凸部により、基準面が水平状態となるように形成する。
【００１１】
この構成によれば、シャーシの基準面より下方側に一体的に突出して凹部を形成して所望のスペースを確保するとともに、基準面より下方側に一体的に突出した補助凸部を設け、この補助凸部により、基準面を水平状態に維持している。この結果、シャーシに凹部を設けても、基準面は、水平状態に維持されるので、極めて安定した状態で、シャーシが歪むことなく組立作業を行うことができ、作業効率が向上する他、シャーシの薄肉化を図ることができる。しかも、シャーシを水平状態に維持するために専用の治具などを用いる必要がないので、製品のコストを削減することができる。更に、各種要素を効率的に立体的に配置することができるので、この種電子機器の小型化を図ることができる。
【００１２】
また、本発明においては、補助凸部と、凹部とにより、基準取付け面が水平状態となるように、基準面から補助凸部の底面までの距離と、基準面から凹部の底面までの距離を、略同一に形成する。
【００１３】
この構成によれば、基準面は、凹部の底面と、補助凸部の底面により水平状態に維持されるので、極めて安定した状態で、シャーシが歪むことなく組立作業を行うことができ、作業効率が向上する他、シャーシの薄肉化を図ることができる。しかも、シャーシを水平状態に維持するために専用の治具などを用いる必要がないので、製品のコストを削減することができる。
【００１４】
また、本発明においては、ケースは、当該ケースの底面に設置用脚部を更に備え、補助凸部は、設置用脚部または当該設置用脚部の近傍に設ける。
【００１５】
この構成によれば、組み立て時の加重位置となる補助凸部が、設置用脚部または当該設置用脚部の近傍に設けられているので、ケースに組み込んだ状態、即ち、製品としての加重位置と同一または近傍となる。この結果、製品として完成した状態で、各種要素に新たなストレスが掛からないので、都合が良い。
【００１６】
また、本発明においては、ケースは、シャーシの前部が嵌装されるフロントケース部と、シャーシの上部を覆うカバー部とからなり、フロントケース部の底面には、設置用脚部のフロント脚が設けられ、補助凸部は、フロント脚または当該フロント脚の近傍に配設するとともに、凹部は、ケースの底部を兼ね、凹部の底面に滑り止めを設けて設置用脚部のリア脚を形成する。
【００１７】
この構成によれば、組み立て時の加重位置となる補助凸部が、フロント脚または当該フロント脚の近傍に設けられ、また、凹部は、ケースの底部を兼ねるとともに、凹部の底面には、滑り止めを設けて設置用脚部のリア脚を形成いるので、ケースに組み込んだ状態、即ち、製品としての加重位置と同一または近傍となる。この結果、製品として完成した状態で、各種要素に新たなストレスが掛からないので、都合が良い。更に、製品としての設置用脚部の一部を、凹部の底面を利用しており、都合がよい。
【００１８】
また、本発明においては、フロントケース部の前面側には、フロント脚の前面側を覆うスカート部を形成するとともに、フロント脚には、補助凸部が貫装される開口を設け、開口から補助凸部を外側に導出し、補助凸部の底面に滑り止めを設けてフロント脚を形成する。
【００１９】
この構成によれば、フロント脚を形成する補助凸部は、フロントケース部の前面側に設けたスカート部に覆われており、概観上美麗であり好ましい。
【００２０】
また、本発明においては、補助凸部は、凹部と離間した隅部分に複数個配設する。この構成によれば、補助凸部は、凹部と離間して隅部分に複数個配設されているので、加重位置が極めて安定し、都合がよい。
【００２１】
また、本発明においては、要素の一つが、当該電子機器を駆動する電源部の１次側部分を備えたＰＣＢであって、当該ＰＣＢは、１次側部分が、凹部の上部に配設されるように、基準面に直接または当該基準面に設けられたボス部に装着する。
【００２２】
この構成によれば、当該電子機器を駆動する電源部の１次側部分は、基準面に直接または当該基準面に設けられたボス部に装着されたＰＣＢに形成され、しかも、１次側部分が、凹部の上部に配設されているので、効果的に絶縁距離を確保することができ、都合がよい。
【００２３】
また、本発明においては、要素の一つが、当該電子機器のデータを記憶するハードデスクであって、当該ハードデスクは、凹部に配設する。この構成によれば、ハードデスクが、凹部に配設されているので、製品としての重心が下がり、据え付け状態が安定し、都合がよい。
【００２４】
電子機器を構成する要素を装着する水平状態の基準面と、当該基準面より下方側に一体的に突出する凹部と、を備えたシャーシにおいて、基準面より下方側に向かって一体的に突出した補助凸部を設け、補助凸部により、基準面が水平状態となるように、形成する。
【００２５】
この構成によれば、シャーシの基準面より下方側に一体的に突出して凹部を形成して所望のスペースを確保したシャーシにおいて、基準面より下方側に一体的に突出した補助凸部を設け、この補助凸部により、基準面を水平状態に維持している。この結果、シャーシに凹部を設けても、基準面は、水平状態に維持されるので、極めて安定した状態で、シャーシが歪むことなく組立作業を行うことができ、作業効率が向上する他、シャーシの薄肉化を図ることができる。しかも、シャーシを水平状態に維持するために専用の治具などを用いる必要がないので、製品のコストを削減することができる。更に、各種要素を効率的に立体的に配置することができるので、この種電子機器の小型化を図ることができる。
【００２６】
更に、本発明においては、補助凸部と、凹部とにより、基準取付け面が水平状態となるように、基準面から補助凸部の底面までの距離と、基準面から凹部の底面までの距離を、略同一に形成する。
【００２７】
この構成によれば、基準面は、凹部の底面と、補助凸部の底面により水平状態に維持されるので、極めて安定した状態で、シャーシが歪むことなく組立作業を行うことができ、作業効率が向上する他、シャーシの薄肉化を図ることができる。しかも、シャーシを水平状態に維持するために専用の治具などを用いる必要がないので、製品のコストを削減することができる。
【発明の効果】
【００２８】
本発明によれば、簡単な構成で、基準面より下方側に所望のスペースを確保し、しかも、シャーシを水平状態に保持できるようにした電子機器および電子機器用のシャーシを得ることができる。
【発明を実施するための最良の形態】
【００２９】
（第１実施形態）
以下、本発明の第１実施形態を図１乃至図８に基づいて説明する。図１は、本発明の第１実施形態に係る電子機器であるＤＶＤ装置の概略構成を示す斜視図、図２は、図１に示すＤＶＤ装置の側面図、図３は、図１に示すＤＶＤ装置の要部を示す側面図である。図４は、図３に示すシャーシの一例を示す概略平面図、図５は、ＤＶＤ装置の設置用脚部の一例を示す概略断面図、図６は、図５の底面図、図７は、図３に示すＰＣＢの一例を示す概略平面である。図８は、ＤＶＤ装置の設置用脚部の他の例の要部を示す概略底面図である。
【００３０】
図１に示すＤＶＤ装置１は、フロントケース部２１と、後述するように装置本体の主要部を構成するＰＣＢやＤＶＤユニットなどの要素を直接または間接的に装着したシャーシ３と、シャーシ３の上部を覆うカバー部２２とにより、ＤＶＤ装置１のケース２を構成している。そして、この例では、シャーシ３は、ケース２の底部を兼ねている。フロントケース部２１には、例えば、装置本体に対してディスクトレイ（不図示）が出し入れされる挿入口の開閉を行う開閉口１１と、操作キーや音量調整ボリュームなどの操作部１２と、操作状況などを表示する表示部１３とが配設されている。
【００３１】
かかる構成により、例えば、操作部１２を操作し、図示しないディスクトレイを開閉口１１から導出し、所望のディスクを載せ、ＤＶＤユニット内に挿入し、当該ディスクに記憶されたデジタル動画情報などを再生し、別途、ＤＶＤ装置に接続された表示装置、例えば、液晶ディスプレ（不図示）などに動画を表示する。
【００３２】
而して、本発明に従い、シャーシ３は、図１乃至図４に示すように、水平状態の基準面３１と、当該基準面３１より下方側に、所望のスペースを確保するため、下方側に突出した凹部３２と、基準面３１より下方側に突出した補助凸部３３と、基準面３１より上方側に突出し、ネジ穴などが設けられたボス部３４と、先端部がフロントケース部２１に嵌装される段部３５と、背面部３６と、側面部３７とが、例えば、絞り加工などにより一体的に形成されている。また、ここで、凹部３２は、少なくとも後述する電源部の１次側部分Ｐに対応する部分に形成され、凹部３２の底部３２ａと、１次側部分Ｐとの間に所望の絶縁距離Ｌが確保されている。また、補助凸部３３は、凹部３２と離間して遠い側、図示例では、フロントケース部２１側の隅部分に２個配設されている。また、補助凸部３３と、凹部３２とにより、例えば、組み立てライン１１０において、基準面３１が水平状態となるように、基準面３１から補助凸部３３の底面３３ｂまでの距離Ｌ３と、基準面３１から凹部３２の底面３２ｂまでの距離Ｌ２とは、略同一に形成されている。
【００３３】
ボス部３４には、例えば、図７に示すような電子機器であるＤＶＤ装置１を構成する要素４の一つであるメインのＰＣＢ４１が、ネジ（不図示）などの固着手段により固着されている。このＰＣＢ４１には、同図に示すように、前述の凹部３２に対応する部分に、電源部の１次側部分Ｐを構成する、１次側回路パタン４１ａが形成されているとともに、電源部のトランス４２が実装されている。また、ＰＣＢ４１には、制御部を構成するＣＰＵ４１ｂ、メモリ素子（不図示）、各種のコネクタ類などからなる各種電子部品が実装され、更には、各種パタン（不図示）が形成されている。また、ＰＣＢ４１には、ボス部３４のネジ穴に対応する部分に、取付け孔４１ｃが形成されている。また、ＰＣＢ４１には、図３に示すように、取付け具４３が設けられ、当該取付け具４３の上に、ＤＶＤ装置１を構成する要素４の一つであるＤＶＤユニット４４が装着されている。また、凹部３２には、例えば、図４に示すように、ＤＶＤ装置１を構成する要素４の一つであるハードデスク４５などの要素４が装着されている。
【００３４】
フロントケース部２１には、図５および図６に示すように、合成樹脂などからなり、フロントケース２１部と一体的に形成された、脚５１と、この脚５１の底面に接着などの固着手段より固着されたゴムやフェルトなどからなる滑り止め５２とからなる設置用脚部５のフロント脚５ａが設けられている。このフロント脚５ａの前面側には、フロント脚５ａの前面側を覆うように、合成樹脂などからなり、フロントケース部２１と一体的に形成されたスカート部６が設けられている。このように、フロント脚５ａの前面側を、スカート部６で覆うようにすると概観上美麗であり好ましい。
【００３５】
また、補助凸部３４を、図６に示すように、設置用脚部５のフロント脚５ａの近傍に配設すると、組み立て時の加重位置となる補助凸部３３が、筐体２に組み込んだ状態、即ち、製品としての加重位置と同一または近傍となる。この結果、製品として完成した状態で、各種要素４に新たなストレスが掛からないので、都合が良い。
【００３６】
また、補助凸部３４を、図８に示すように、設置用脚部５のフロント脚５ａに、補助凸部３４が貫装される開口５３を設け、この開口５３から補助凸部３３をフロントケース２１の外側に導出するとともに、この導出した補助凸部３３の底面３３ｂにゴムやフェルトなどからなる滑り止め５２を固着する。この構成によれば、設置用脚部５のフロント脚５ａを形成する補助凸部３３は、フロントケース部２１の前面側に設けたスカート部６に覆われており、概観上美麗であり好ましい。
【００３７】
以上の構成による本実施形態では、シャーシ３の基準面３１より下方側に一体的に突出して凹部３２を形成して所望のスペースを確保するとともに、基準面３１より下方側に一体的に突出した補助凸部３３を設け、基準面３１から補助凸部３３の底面３３ｂまでの距離Ｌ３と、基準面３１から凹部３２の底面３２ｂまでの距離Ｌ２を、略同一形成している。この結果、シャーシ３に凹部３２を設けても、基準面３１は、凹部３２の底面３２ｂと、補助凸部３３の底面３３ｂにより水平状態に維持されるので、極めて安定した状態で、シャーシ３が歪むことなく組立作業を行うことができ、作業効率が向上する他、シャーシ３の薄肉化を図ることができる。しかも、シャーシ３を水平状態に維持するために専用の治具などを用いる必要がないので、製品のコストを削減することができる。更に、各種要素４を効率的に立体的に配置することができるので、この種電子機器の小型化を図ることができる。
【００３８】
また、組み立て時の加重位置となる補助凸部３３が、フロント脚５ａまたは当該フロント脚５ａの近傍に設けられ、また、凹部３２は、ケース２の底部を兼ねるとともに、凹部３２の底面３２ｂには、滑り止め５２を設けて設置用脚部５のリア脚５ｂを形成いるので、ケース２に組み込んだ状態、即ち、製品としての加重位置と同一または近傍となる。この結果、製品として完成した状態で、各種要素４に新たなストレスが掛からないので、都合が良い。更に、製品としての設置用脚部５の一部を、凹部３２の底面３２ｂを利用しており、都合がよい。また、補助凸部３３は、凹部３２と離間して隅部分に複数個配設されているので、加重位置が極めて安定し、都合がよい。
【００３９】
また、電子機器であるＤＶＤ装置１を駆動する電源部の１次側部分Ｐは、基準面３１に設けられたボス部３４に装着されたＰＣＢ４１に形成され、しかも、１次側部分Ｐが、凹部３３の上部に配設されているので、効果的に絶縁距離Ｌを確保することができ、都合がよい。更に、要素の一つであるＤＶＤ装置１のデータを記憶するハードデスク４５が、凹部３３に配設されているので、製品としての重心が下がり、据え付け状態が安定し、都合がよい。
【００４０】
（第２実施形態）
次に、本発明の第２実施形態について図９を参照しながら説明する。図９は、本発明の第２実施形態に係る電子機器であるテレビジョンの概略構成を示す概略構成図である。なお、図９において、上述した図１乃至図８と同じ符号を付した部分は、略同一のものを示すため、ここでは詳細な説明は省略する。以下、上述した実施形態との相違点を中心に説明する。
【００４１】
本実施形態では、図９に示す様に、この電子機器であるテレビジョン１は、例えば、フロントケース部２１と、リアケース部２３とからなるケース２内に、要素の一つである外部から受信した映像を表示するＣＲＴ４６（Ｃａｔｈｏｄｅ Ｒａｙ Ｔｕｂｅ：陰極線管）、およびフライバックトランス４７や電源ユニット４８などを実装したメインのＰＣＢ４１が収納されている。ＰＣＢ２１は、例えば、ケース２の底部に設けられたシャーシ３に設けられた一対の取付け具４３−４３により支持固定されている。また、ＰＣＢ２１には、例えば、フロントケース部２１から、その一部が露出するように配置された外部接続用のピン型のジャック４９が装着されている。このジャック４９は、必要に応じて、リアケース部２２にも設けられる。このジャック４９を介して外部に音声信号、再生信号が出力されたり、内部に記録信号、操作信号などを入力したりするように構成されている。
【００４２】
而して、本発明に従い、シャーシ３には、基準面３１より下方側に一体的に突出して凹部３２が形成されている。そして、この凹部３２に対応する部分の上部に、所望のスペース、絶縁距離Ｌを確保した状態で、フライバックトランス４７や電源ユニット４８などからなる１次側部分Ｐが配設されるようにＰＣＢ２１に実装されている。また、シャーシ３の前方側、即ち、凹部３２と離間した隅部分には、補助凸部３３が形成されている。そして、上述した実施形態と同様に、補助凸部３３と、凹部３２とにより、例えば、組み立てラインにおいて、基準面３１が水平状態となるように、基準面３１から補助凸部３３の底面３３ｂまでの距離Ｌ３と、基準面３１から凹部３２の底面３２ｂまでの距離Ｌ２とは、略同一に形成されている。
【００４３】
以上の構成による本実施形態よれば、上述した実施形態と同様、シャーシ３に凹部３２を設けても、基準面３１は、凹部３２の底面３２ｂと、補助凸部３３の底面３３ｂにより水平状態に維持されるので、極めて安定した状態で、シャーシ３が歪むことなく組立作業を行うことができ、作業効率が向上する他、シャーシ３の薄肉化を図ることができる。しかも、シャーシ３を水平状態に維持するために専用の治具などを用いる必要がないので、製品のコストを削減することができる。更に、各種要素４を効率的に立体的に配置することができるので、この種電子機器の小型化を図ることができる。
【００４４】
なお、上述した各実施形態は、本発明の好適な実施例であるが、本発明はこれに限定されるものではなく、本発明の要旨を逸脱しない範囲において、種々変形実施可能である。
【００４５】
例えば、各実施形態では、シャーシ３に凹部３２を設けても、基準面３１は、凹部３２と、補助凸部３３により水平状態に維持するようにしたが、これに換えて、例えば、補助凸部３３をシャーシ３の各隅部または、その近傍に形成し、これら補助凸部３３によってシャーシ３の基準面３１が水平状態となるように形成し、凹部３２がケース２の底部に接触しないようにしても良いのは、勿論である。
【００４６】
また、上述の各実施形態では、補助凸部３３を断面が台形状のものをシャーシ３の前方側の隅部近傍に２個配設したが、２個の補助凸部３３を一体化して、例えば、スリット状に形成しても良いのは、勿論である。
【００４７】
また、上述の各実施形態では、凹部３２は、一体的に形成したが、必要に応じて複数箇所に分散して形成し、その一部に補助凸部３３の機能を兼ねるようにしても良いのは、勿論である。
【００４８】
更に、上述の実施形態では、電子機器として、ＤＶＤ装置およびテレビジョンに適用した場合について述べたが、例えば、他の各種電子機器において、シャーシ３を用い、当該シャー３シに所望のスペースを確保するため、凹部３２を設けた場合、基準面３１より下方側に一体的に突出して補助凸部３３を形成し、基準面３１を水平状態に維持するようにしても良いのは、勿論である。
【図面の簡単な説明】
【００４９】
【図１】本発明の第１実施形態に係る電子機器であるＤＶＤ装置の概略構成を示す斜視図である。
【図２】図１に示すＤＶＤ装置の側面図である。
【図３】図１に示すＤＶＤ装置の要部を示す側面図である。
【図４】図３に示すシャーシの一例を示す概略平面図である。
【図５】ＤＶＤ装置の設置用脚部の一例を示す概略断面図である。
【図６】図５の底面図である。
【図７】図３に示すＰＣＢの一例を示す概略平面である。
【図８】ＤＶＤ装置の設置用脚部の他の例の要部を示す概略底面図である。
【図９】本発明の第２実施形態に係る電子機器であるテレビジョンの概略構成を示す概略構成図である。
【図１０】本発明の比較例として、シャーシにＰＣＢなどを装着した状態を示す概略図である。
【図１１】図１０に示すシャーシの平面図である。
【符号の説明】
【００５０】
１      電子機器（ＤＶＤ装置、テレビジョン）
２      ケース
２１    フロントケース部
３      シャーシ
３１    基準面
３２    凹部
３３    補助凸部
３４    ボス
４      要素
４１    プリント回路基板（ＰＣＢ）（要素）
４２    トランス（要素）
４３    取付け具（要素）
４４    ＤＶＤユニット（要素）
４５    ハードデスク（要素）
４６    ＣＲＴ（要素）
４７    フライバックトランス（要素）
４８    電源ユニット（要素）
４９    コネクタ（要素）
５      設置用脚部
５ａ    フロント脚
５ｂ    リア脚
５１    脚
５２    滑り止め
５３    開口
６      スカート部
Ｐ      １次側部分
【図１】
2007317773.tif 000003
【図２】
2007317773.tif 000004
【図３】
2007317773.tif 000005
【図４】
2007317773.tif 000006
【図５】
2007317773.tif 000007
【図６】
2007317773.tif 000008
【図７】
2007317773.tif 000009
【図８】
2007317773.tif 000010
【図９】
2007317773.tif 000011
【図１０】
2007317773.tif 000012
【図１１】
2007317773.tif 000013